【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
流体を搬送するチャネルを備える装置と、前記チャネルを相互接続する継手装置とを含むキット；
を含む、流体ラインを不適切な相互接続から守るシステムであって、
前記継手装置の各々が、前記継手装置のうちの対にされた継手装置の少なくとも１つのコネクタに接続するために、予め定められた物理的関係で方向付けられる必要のある少なくとも１つのコネクタを備えて構成されており；
前記継手装置のうちの少なくともいくつかに、少なくとも１つの干渉要素が配置されており、前記干渉要素は、前記少なくともいくつかが前記継手装置の第１の他の継手装置との接続は防止されるが前記少なくともいくつかが前記継手装置の第２の他の継手装置に接続されるようにし；
前記継手装置のうちの前記少なくともいくつかを、前記予め定められた方法での前記方向付けによって、前記少なくともいくつかの各々の前記少なくとも１つの干渉要素が前記第１の他の継手装置の前記少なくとも１つの干渉要素と干渉係合されるように、構成しており、
前記継手装置のうち前記少なくともいくつかの継手装置の各々の前記少なくとも１つのコネクタは、複数のコネクタからなり、当該複数のコネクタの各々は、前記いくつかの継手装置の各々において単一のチャネルに合流する又状分岐チャネルに接続している、システム。
【請求項２】
前記予め定められた位置関係が、平行となるように位置合わせされた、継手装置対の各部材の軸を含む、請求項１に記載のシステム。
【請求項３】
前記継手装置がそれぞれ複数のコネクタと干渉要素を有し、前記干渉要素は、それぞれの対の前記継手装置をそれらのコネクタに封止式に係合するように方向付けることによって、前記継手装置の相互干渉を発生させ、それによりそれらの相互接続を防止するように、配置される、請求項１又は２に記載のシステム。
【請求項４】
前記予め定められた向きが、特定の継手装置対の干渉要素を位置決めし、前記干渉要素が、前記各継手装置対の複数のコネクタを、互いに封止式に係合できるようにそれぞれの軸が位置合わせされた状態で位置決めするときに、干渉するようにし、それにより、前記特定の継手装置対の相互接続を防止する、請求項３に記載のシステム。
【請求項５】
請求項１に記載されたシステムを使用する方法であって、
前記予め定められた物理的関係で、前記継手装置の各々の前記少なくとも１つのコネクタを方向付けること；および
前記継手装置の各々の前記少なくとも１つのコネクタを、前記継手装置のうちの対にされた継手装置のコネクタに接続すること、
を含む、方法。
【請求項６】
第１の本体を備える第１の継手装置と、第２の本体を備える第２の継手装置と；
を含む流体結合システムであって、
前記第１の本体が、第１の端部に１つの開口部を備える単一ポート、第２の端部に２つの開口部を備えるダブルポートを有し、前記単一ポートと前記ダブルポートが、流体連通のために、前記本体にある分岐チャネルによって相互接続されており；
前記第２の本体が、第１の端部に１つの開口部を備える単一ポート、第２の端部に２つの開口部を備えるダブルポートを備え、前記単一ポートと前記ダブルポートが、流体連通のために、前記本体にある分岐チャネルによって相互接続されており；
前記第１の本体のダブルポートが、前記第２の本体のダブルポートに接続して、封止されたチャネルを形成し、前記第１の本体の単一ポートを前記第２の本体の単一ポートに接続するように構成されている、システム。
【請求項７】
前記第１および第２の継手装置が同一である、請求項６に記載のシステム。
【請求項８】
前記第１および第２の継手装置が、前記第１の本体の２つの開口部と前記第２の本体の２つの開口部との摩擦係合を可能にして、前記封止されたチャネルを形成するように構成されている、請求項６に記載のシステム。
【請求項９】
前記第１の本体が少なくとも１つの第１のラッチ部材を有し、および第２の本体が少なくとも１つの第２のラッチ部材を有し、前記第１のラッチ部材が、前記第２のラッチ部材に干渉するように係合して、分離に対する前記第１および第２の継手装置の抵抗性を高めるように構成されている、請求項６に記載のシステム。
【請求項１０】
前記第１のラッチ部材と第２のラッチ部材の係合を解除できるように、前記第１のラッチ部材が前記第１の本体の前記主要部分に対して可動である、請求項９に記載のシステム。
【請求項１１】
前記第１の本体のダブルポートが、雄型のシリンダー状取付具と、雌型のシリンダー状取付具とを有し、前記第１の本体の２つの開口部が各々、前記２つの開口部のそれぞれにある、請求項６に記載のシステム。
【手続補正２】
【補正対象書類名】明細書
【補正対象項目名】発明の名称
【補正方法】変更
【補正の内容】
【発明の名称】流体ラインを不適切な相互接続から守るシステムとそのシステムを使用する方法、および、流体結合システム
【手続補正３】
【補正対象書類名】明細書
【補正対象項目名】０００６
【補正方法】変更
【補正の内容】
【０００６】
実施形態では、継手装置は、第１の流れポートが第１の継手装置に接続されるコネクタ配置を含み、この第１の継手装置は、共通のチャネルから延在する又状分岐チャネルと連通し、この共通のチャネルは、又状分岐チャネルを第２の継手装置の共通ポートへ合流する。実施形態では、２つの又状分岐チャネルは、各々、継手装置間の境界面にある複数のコネクタに接続される。特定の例では、一方の継手装置は、雄型コネクタ、雄型コネクタと雌型コネクタの組み合わせ、または雌型コネクタのみを有し得る。同じ種類の他方の継手装置（すなわち、１つの継手装置とかみ合うことができる継手装置）は、少なくとも１つの相補的なセットのコネクタを有する。各継手装置は、複数のコネクタ（例えばこの場合雄型および雌型）の全てが互換性のある継手装置に接合されるときにのみ、互換性のある継手装置にかみ合い（互換性のあるは、本出願人らは、継手装置と完全に流体的に接続し得る構成の継手装置を意味している）、および継手装置に設けられたいずれかの干渉要素は、コネクタによってシールを形成できる。コネクタは、任意のタイプとしてよく、雄型または雌型と特徴づけられるような陥入タイプのコネクタが、単に例として説明されていることに留意されたい。例えば、当接タイプの圧縮シールまたは他の封止係合は、使用されるコネクタのいずれかに用い得る。複数のコネクタの代わりに、単一の非丸型のコネクタを使用する代替的な実施形態も説明する。単一の非丸型のコネクタは継手装置を位置合わせし、それにより、干渉要素の複数の構成を用いることができるようにし得る。
【手続補正４】
【補正対象書類名】明細書
【補正対象項目名】０００９
【補正方法】変更
【補正の内容】
【０００９】
継手装置システムまたはスキームは、別の組の実施形態の形式で、各々又状分岐チャネルを備える２つの継手装置を有する代わりに、一方の継手装置のみが又状分岐チャネルを有するように拡張し得る。他方の継手装置は、又状分岐チャネルを備える継手装置のコネクタのうちの１つのために閉鎖体を有する。閉鎖体を備える継手装置は、そのフローチャネルを、又状分岐チャネルを備えた、開いているコネクタの継手装置のフローチャネルに接続するコネクタを有する。実施形態では、閉鎖体を備える継手装置は、流体源などの安全なラインにおいてのみ使用され、危険な流体を行先まで、例えば漂白剤を輸液ラインまで搬送してそこで被害をもたらし得るのに使用され得る閉鎖体を備える継手装置での不良（ｒｏｇｕｅ）コネクタの使用を防止する。
【手続補正５】
【補正対象書類名】明細書
【補正対象項目名】００２５
【補正方法】変更
【補正の内容】
【００２５】
上述の実施形態の特徴は、特定の流体源または上流または下流の構成要素の継手装置が、対応する継手装置とのみかみ合うことができることである。実施形態の特徴は、特定の継手装置が、接続を本質的に役に立たない状態にせずに、任意の他のタイプの継手装置に接続しないようにすること、および、さらに接続が可能ではないことを使用者に対し明らかにするか、または不適切な接続は成功しないことを明白にすることである。